(57)【要約】【課題】  粘着テープロールに部分的に装着可能で、テープロール面上にはりついているテープ端末を指の簡単な操作によってロール面から立ち上げることができ、必要なテープを引き出した後には、テープ断端をロール面にはりつけた状態でテープを切断することができる軽便な粘着テープカッターを提供する。【解決手段】粘着テープロールに部分的に取り付け可能で、テープ立ち上げ爪を有する台座のうえに、前送り支柱とともに逆Ｖ字形に折りたたむことのできるテープ切断刃を設け、これらを直線状に伸ばすことによって、引き出したテープの下にテープ端立ち上げ爪をはさみこんだ状態でテープをロール面上に押し付けながら切断できるようにする。【選択図】  図１
2005119868.tif 000002
【特許請求の範囲】
【請求項１】
粘着テープをテープロールから引き出した際に、引き出されるテープに押されてロール上を移動できる状態で、ロール面上に台座（５）を取りつけ、引き出されているテープに接する台座の縁と反対側の縁に、テープに交差する方向に設けた回転軸（１１）を介して板状の前送り支柱（６）を取りつけ、この支柱の他端に、もうひとつの回転軸（１２）を介して、ほぼテープ幅の鋸歯状の刃先（７）を持つテープ切断刃（８）をつなぎ、それぞれの回転軸に設けたバネ（１３）によって、前送り支柱（６）とテープ切断刃（８）が逆Ｖ字形に折りたたまれた状態（図１）にしておき、バネの力に抗して、前送り支柱（６）とテープ切断刃（８）を直線状に伸ばすことによって、台座から一定の距離のところで、引き出されたテープをロール面上に押さえ込んで（図５（ｂ））テープを切断できるようにしたテープカッター。
【請求項２】
テープロールから粘着テープを引き出したとき、粘着テープがテープロールから離れはじめる場所付近で引き出されたテープの粘着面とロール上の下層のテープ表面との間に、テープ端末を立ち上げるための小物体（４）をはさみこみ、このはさみこんだ状態を維持でき、かつ小物体を持ち上げることによって小物体から端末までのテープ部分をロール面から立ち上げることのできる程度のテープ端末余長をテープロール面上に残して粘着テープを切断できる粘着テープカッター。
【発明の詳細な説明】
【技術分野】
【０００１】本発明はクラフトテープ、布テープ、セロファンテープなどのロール状に巻かれた粘着テープのテープロールに取りつけて使用する粘着テープカッターに関するものである。
【背景技術】
【０００２】従来、粘着セロファンテープやクラフトテープのテープロールに巻きつけて使用する、鋸歯状刃つきの金具が粘着テープカッターとして一般に市販されているが、刃先が外側に突き出しているので人体や他の物品を傷つけやすく、また、これを使用する際には切断後のテープ端末がロール面上にはりつき、テープ端末を引き出すのに手間がかかっていた。【０００３】また、粘着テープロールを装着する回転ローラを有し、テープロール面から離れたところに接着面つきの切断歯を設けてあって、切断後のテープ断端付近のテープをテープロール面から浮かせておき、浮かせた部分を指でつまんでテープを引き出せるようにしたものも市販されているが、これは一般にテープロールよりも大きくて、重く持ち運びに不便であり、テープをはりつけながら切断するのが困難である。
【発明の開示】
【発明が解決しようとする課題】
【０００４】本発明は、粘着テープロールに部分的に装着可能で、テープロール面上に張りついているテープ端末を指の簡単な操作によってロール面から立ち上げることができ、必要なテープを引き出した後には、テープ断端をロール面にはりつけた状態でテープを切断することができる軽便な粘着テープカッターを提供しようとするものである。
【課題を解決するための手段】
【０００５】上記目的を達成するために、粘着テープロールからテープを引き出すにしたがって、引き出されたテープに押されてロール面上を移動できる状態で、テープロールに部分的に台座（５）をとりつけ、引き出されているテープが接する台座の縁から、引き出されているテープの粘着面側に回りこむようにテープ端立ち上げ爪（４）を設ける。【０００６】このテープ端立ち上げ爪（４）は、テープをロールから引き出している際には、テープの粘着面に接していないが、引き出したテープをロール面上にもどすと、テープはテープ端立ち上げ爪（４）を粘着面の下にはさみこんだ状態でロール面上にはりつくようになっている。【０００７】ロール面上にあってテープ立ち上げ爪とは反対側にある台座の縁に、テープ幅程度の板状の前送り支柱（６）を、テープの引き出される方向と直角になるように設けられた回転軸１（１１）を介してつなぎ、この支柱のもう一方の端には、もうひとつの回転軸２（１２）を介してテープ幅程度の鋸歯状の刃先（７）をもったテープ切断刃（８）を接続し、前送り支柱（６）とテープ切断刃（８）を逆Ｖ字形におりたたんだ状態で台座の上に載せる。【０００８】台座（５）と前送り支柱（６）そして前送り支柱（６）とテープ切断刃（８）をそれぞれつないでいる回転軸１（１１）と回転軸２（１２）には連結バネ（１３）が設けてあり、テープ切断刃（８）の、刃先（７）と反対の側には切断刃ひれ（１０）がついていて、通常状態では前送り支柱（６）とテープ切断刃（８）は台座（５）の上で逆Ｖ字形におりたたまれているが、切断刃ひれ（１０）を指で押し下げれば刃先（７）が上に起き上がるとともに切断刃ひれ（１０）が前送り支柱（６）にあたるので、切断刃ひれ（１０）をそのまま押しつづけると前送り支柱（６）が前方に倒れ、テープ切断刃の刃先（７）は、テープ端立ち上げ爪（４）を越えて、この爪から一定距離のところで引き出したテープをロール面上に押さえ込むようになる。【０００９】テープ立ち上げ爪（４）を持ち上げて、テープ端末を立ち上げ、これをつまんでテープを引き出したのち、切断刃ひれ（１０）を押し下げることによって、引き出したテープを刃先（７）でロール面上に押し付けた状態（図５（ｂ））にしておき、引き出したテープをひねりながら横方向に引けば、ロール面上に残されたテープが、断端から一定の距離のところでテープ端立ち上げ爪（４）をはさみこんだ状態でテープを切断できる。【００１０】切断刃ひれ（１０）から指を離せば、連結バネ（１３）の働きによって切断刃（８）と前送り支柱（６）は、もとの逆Ｖ字形におりたたまれた状態（図１）にもどる。
【発明の効果】
【００１１】本発明のテープカッターはテープロールに部分的に取り付けて使用するので、小型軽量であり、刃先でテープをロール面上におさえつけて切断するので、切断が安全かつ容易にでき、テープをはりつけながらでも片手でテープを切断できる。【００１２】テープ切断後のテープ端末はロール面上にはりついているので、そのまま保管でき、使用の際には簡単な操作でテープ端末を引き出すことができる。【００１３】通常、本カッターの刃先はロール面に向けて折りたたまれているので、取り扱い中のけがの危険性が少なく、保管などの際に歯先が他の物品に接触して他の物品を損傷することはない。【００１４】本発明のテープカッターはテープの幅とテープロールの層の厚さに応じて製作すれば、クラフトテープやセロファンテープ、布テープなどあるゆる種類の粘着テープに適用できる。
【発明を実施するための最良の形態】
【００１５】発明を実施するための最良の形態を実施例にもとづき図面を参照して説明する。
図１において、二本の板状脚の後縁部（１４）は若干の間隙を持たせてゆるくロール芯（２）の内側をはさみこんでいて、刃先側にある前縁部（１５）はロール芯から離して曲げてあるので、台座ひれ（９）を親指で押さえながら、人差し指で板状脚の前縁部（１５）をロール芯の方へ押し上げれば、台座が後方に傾くので、台座と一体で台座前方に設けられた立ち上げ爪（４）は上方に移動し、これにはりついていたテープ断端部（１６）はロール面から立ち上がり、この断端部を指でつまめるようになる（図５（ａ））。【００１６】テープロール上のテープカッターから手を離して、テープカッター後方のテープロール部分を持ち、テープ断端部（１６）を引き上げると、テープカッターをロール上ですべらせながら必要な長さのテープを引き出すことができる。【００１７】テープを引き出した後、切断刃ひれ（１０）を親指で押し下げてテープ切断刃（８）を上に起こし、切断刃ひれ（１０）をそのまま前方に押すと前送り支柱（６）が前方に倒れ、台座がもとの姿勢にもどるとともにテープ端立ち上げ爪（４）から一定の距離のところでテープ切断刃（８）が引き出したテープをロール面上に押さえ込む（図５（ｂ））。【００１８】このまま、引き出したテープをひねりながら横方向に引けば、ロール状に残されたテープの粘着面と下層のテープ表面の間にテープ端立ち上げ爪（４）をはさみこんだ状態でテープを切断でき、切断刃ひれ（１０）から親指を離せば、テープ切断刃（８）は後退して台座の上で逆Ｖ字形におりたたまれた状態（図１）にもどる。
【図面の簡単な説明】
【００１９】
【図１】  テープにとりつけたテープカッターの実施例を示す斜視図である。
【図２】  テープカッターの実施例を示す正面図である。図の中央部は内部構造を示している。
【図３】  テープカッターの実施例を示す平面図である。図の中央部は内部構造を示している。
【図４】  テープカッターの実施例を示す側面図である。
【図５】  テープカッターの実施例を示す動作側面図である。（ａ）テープ断端部を立ち上げた時のテープカッターの状態（ｂ）テープ切断時におけるテープカッターの状態
【符号の説明】
【００２０】  １    テープロール
２    ロール芯
３    板状脚
４    テープ端立ち上げ爪
５    台座
６    前送り支柱
７    刃先
８    テープ切断刃
９    台座ひれ
１０    切断刃ひれ
１１    回転軸１
１２    回転軸２
１３    連結バネ
１４    板状脚の後縁
１５    板状脚の前縁
１６    テープ断端部
【図１】
2005119868.tif 000003
【図２】
2005119868.tif 000004
【図３】
2005119868.tif 000005
【図４】
2005119868.tif 000006
【図５】
2005119868.tif 000007